(57)【要約】【課題】入力電源電圧が所定値以上に上昇した場合に安全性・信頼性を確保できるように保護することができるスイッチング電源装置を実現する。【解決手段】過電圧検出回路３は、平滑コンデンサＣ１からパルストランスＴの１次巻線ｗ１とスイッチング素子Ｑ１との直列回路への入力電圧、すなわち平滑コンデンサＣ１の端子間電圧を検出する。スイッチング停止回路４は、過電圧検出回路３の入力電圧検出結果に基づいて、スイッチング制御回路の発振動作を制御する、あるいはスイッチング素子Ｑ１のスイッチング動作を直接制御する。過電圧検出回路３が、平滑コンデンサＣ１からの入力電圧が所定値以上であることを検出すると、過電圧が入力されたとして、スイッチング素子Ｑ１をＯＦＦ状態としてスイッチング動作を停止させる。【選択図】図１
2005210849.tif 000002
【特許請求の範囲】
【請求項１】
インプットコンデンサからの入力電圧を主スイッチング素子でスイッチングするスイッチング電源装置において、
上記入力電圧が所定値以上になると、上記インプットコンデンサから上記主スイッチング素子を介して流れるパルス電流の経路の遮断を行う遮断手段を備えていることを特徴とするスイッチング電源装置。
【請求項２】
上記遮断手段は、上記入力電圧が所定値以上になると上記主スイッチング素子のスイッチング動作を停止させることにより上記遮断を行うスイッチング停止手段であることを特徴とする請求項１に記載のスイッチング電源装置。
【請求項３】
上記スイッチング停止手段は、
上記入力電圧の大きさに対応した電圧が印加される定電圧ダイオードと、
上記定電圧ダイオードを流れる電流の大きさに対応した電流をベース電流としてＯＮ／ＯＦＦ動作し、ＯＮ状態とＯＦＦ状態とのいずれか一方で上記主スイッチング素子をＯＦＦ状態とするトランジスタとを備えていることを特徴とする請求項２に記載のスイッチング電源装置。
【請求項４】
上記スイッチング停止手段は、
上記入力電圧の大きさに対応した電圧が印加される定電圧ダイオードと、
上記定電圧ダイオードを流れる電流の大きさに対応した電流を励磁電流としてＯＮ／ＯＦＦ動作し、ＯＮ状態とＯＦＦ状態とのいずれか一方で上記主スイッチング素子をＯＦＦ状態とするリレーとを備えていることを特徴とする請求項２に記載のスイッチング電源装置。
【請求項５】
上記スイッチング停止手段は、
上記入力電圧の大きさに対応した電圧が印加される定電圧ダイオードと、
上記定電圧ダイオードを流れる電流の大きさに対応した電流によって生成されるゲート電圧が印加されてＯＮ／ＯＦＦ動作し、ＯＮ状態とＯＦＦ状態とのいずれか一方で上記主スイッチング素子をＯＦＦ状態とするサイリスタとを備えていることを特徴とする請求項２に記載のスイッチング電源装置。
【請求項６】
上記スイッチング停止手段は、
上記入力電圧の大きさに対応した電圧が制御端子に印加されるシャントレギュレータと、
上記シャントレギュレータを流れる電流の大きさに対応した電流をベース電流としてＯＮ／ＯＦＦ動作し、ＯＮ状態とＯＦＦ状態とのいずれか一方で上記主スイッチング素子をＯＦＦ状態とするトランジスタとを備えていることを特徴とする請求項２に記載のスイッチング電源装置。
【請求項７】
上記スイッチング停止手段は、
上記入力電圧の大きさに対応した電圧が制御端子に印加されるシャントレギュレータと、
上記シャントレギュレータを流れる電流の大きさに対応した電流を励磁電流としてＯＮ／ＯＦＦ動作し、ＯＮ状態とＯＦＦ状態とのいずれか一方で上記主スイッチング素子をＯＦＦ状態とするリレーとを備えていることを特徴とする請求項２に記載のスイッチング電源装置。
【請求項８】
上記スイッチング停止手段は、
上記入力電圧の大きさに対応した電圧が制御端子に印加されるシャントレギュレータと、
上記シャントレギュレータを流れる電流の大きさに対応した電流によって生成されるゲート電圧が印加されてＯＮ／ＯＦＦ動作し、ＯＮ状態とＯＦＦ状態とのいずれか一方で上記主スイッチング素子をＯＦＦ状態とするサイリスタとを備えていることを特徴とする請求項２に記載のスイッチング電源装置。
【請求項９】
上記遮断手段は、上記主スイッチング素子以外に上記経路に直列に挿入されたスイッチを有し、上記スイッチを開状態とすることにより上記遮断を行うスイッチ手段であることを特徴とする請求項１に記載のスイッチング電源装置。
【請求項１０】
上記スイッチ手段は、
上記入力電圧の大きさに対応した電圧が印加される定電圧ダイオードと、
上記定電圧ダイオードに印加される電圧でＯＮ／ＯＦＦ動作が制御される、上記スイッチとしてのトランジスタとを備えていることを特徴とする請求項９に記載のスイッチング電源装置。
【請求項１１】
上記スイッチ手段は、
上記入力電圧の大きさに対応した電圧が印加される定電圧ダイオードと、
上記定電圧ダイオードに印加される電圧でＯＮ／ＯＦＦ動作が制御される、上記スイッチとしてのリレーとを備えていることを特徴とする請求項９に記載のスイッチング電源装置。
【請求項１２】
上記スイッチ手段は、
上記入力電圧の大きさに対応した電圧が制御端子に印加されるシャントレギュレータと、
上記シャントレギュレータのＯＮ／ＯＦＦ状態でＯＮ／ＯＦＦ動作が制御される、上記スイッチとしてのトランジスタとを備えていることを特徴とする請求項９に記載のスイッチング電源装置。
【請求項１３】
上記スイッチ手段は、
上記入力電圧の大きさに対応した電圧が制御端子に印加されるシャントレギュレータと、
上記シャントレギュレータのＯＮ／ＯＦＦ状態でＯＮ／ＯＦＦ動作が制御される、上記スイッチとしてのリレーとを備えていることを特徴とする請求項９に記載のスイッチング電源装置。
【発明の詳細な説明】
【技術分野】
【０００１】
本発明は、いわゆるＡＣ−ＤＣコンバータや、ＤＣ―ＤＣコンバータなどとして好適に実施され、直流安定化電圧を出力するスイッチング電源装置に関する。
【背景技術】
【０００２】
スイッチング電源装置の従来例を図１３に示す。同図のスイッチング電源装置１０１では、交流電源１からフィルタ回路２を経た電圧はブリッジダイオードＢＤで全波整流される。この後、平滑コンデンサＣ１で平滑化され、パルストランスＴの１次巻線ｗ１と直列に設けられたスイッチング素子Ｑ１によるスイッチング動作により、パルストランスＴ１の１次巻線ｗ１から２次巻線ｗ２へエネルギーが伝達され、ダイオードＤと平滑コンデンサＣ２とにより直流電圧となって出力される。この出力電圧は図示しない出力電圧検出回路によって検出され、パルストランスＴの補助巻線ｗ３から電源供給を受ける図示しないスイッチング制御回路にフィードバックされる。これにより、スイッチング素子Ｑ１のＯＮデューティが制御されて、出力電圧が安定化される。
【０００３】
さらに、このスイッチング電源装置１０１の入力部には、フィルタ回路２の前の電源供給ライン間をまたぐようにバリスタＺＲが設けられている。スイッチング電源装置１０１の動作中に交流電源１から入力される電源電圧が上昇した場合、バリスタＺＲが導通することにより、一次側電圧の上昇を抑えるようになっている。
【０００４】
また、その入力過電圧状態が継続し、バリスタＺＲの素子限界を超えた時、バリスタＺＲは短絡して入力過電流を発生させ、その結果、バリスタの前の電源供給ラインに挿入されたヒューズＦを遮断させてスイッチング電源の動作停止を行う。
【特許文献１】実開平２−１２５５４０号公報（公開日：１９９０年１０月１６日）
【特許文献２】特開昭６１−８８７２３号公報（公開日：１９８６年５月７日）
【特許文献３】特開昭５８−１２２６９５号公報（公開日：１９８３年７月２１日）
【発明の開示】
【発明が解決しようとする課題】
【０００５】
以上のようなスイッチング電源装置において、入力部にバリスタを入れることにより入力電源電圧が上昇した時の保護を行っているが、バリスタによる保護は発煙・発火の可能性がある為信頼性に乏しい。
【０００６】
本発明は、上記従来の問題点に鑑みなされたものであり、その目的は、入力電源電圧が所定値以上に上昇した場合に安全性・信頼性を確保できるように保護することができるスイッチング電源装置を実現することにある。
【課題を解決するための手段】
【０００７】
本発明のスイッチング電源装置は、上記課題を解決するために、インプットコンデンサからの入力電圧を主スイッチング素子でスイッチングするスイッチング電源装置において、上記入力電圧が所定値以上になると、上記インプットコンデンサから上記主スイッチング素子を介して流れるパルス電流の経路の遮断を行う遮断手段を備えていることを特徴としている。
【０００８】
上記の発明によれば、インプットコンデンサからの入力電圧が所定値以上になると、主スイッチング素子に流れるパルス電流の経路を遮断する。これにより、インプットコンデンサより後段の回路が過電圧から保護される。また、インプットコンデンサから前段側の回路については、部品の耐圧を適宜設定するだけでよいので過電圧からの保護に特別な構成は不要である。以上により、入力電源電圧が所定値以上に上昇した場合に安全性・信頼性を確保できるように保護することができるスイッチング電源装置を実現することができる。
【０００９】
本発明のスイッチング電源装置は、上記課題を解決するために、上記遮断手段は、上記入力電圧が所定値以上になると上記主スイッチング素子のスイッチング動作を停止させることにより上記遮断を行うスイッチング停止手段であることを特徴としている。
【００１０】
上記の発明によれば、主スイッチング素子のスイッチング動作を停止させるスイッチング停止手段により、遮断手段を実現することができる。
【００１１】
本発明のスイッチング電源装置は、上記課題を解決するために、上記スイッチング停止手段は、上記入力電圧の大きさに対応した電圧が印加される定電圧ダイオードと、上記定電圧ダイオードを流れる電流の大きさに対応した電流をベース電流としてＯＮ／ＯＦＦ動作し、ＯＮ状態とＯＦＦ状態とのいずれか一方で上記主スイッチング素子をＯＦＦ状態とするトランジスタとを備えていることを特徴としている。
【００１２】
上記の発明によれば、インプットコンデンサからの入力電圧が所定値以上になると、定電圧ダイオードに流れる電流をそれに対応させた電流とし、トランジスタをＯＮ状態またはＯＦＦ状態として主スイッチング素子をＯＦＦ状態にすることにより、スイッチングを停止させることができる。
【００１３】
本発明のスイッチング電源装置は、上記課題を解決するために、上記スイッチング停止手段は、上記入力電圧の大きさに対応した電圧が印加される定電圧ダイオードと、上記定電圧ダイオードを流れる電流の大きさに対応した電流を励磁電流としてＯＮ／ＯＦＦ動作し、ＯＮ状態とＯＦＦ状態とのいずれか一方で上記主スイッチング素子をＯＦＦ状態とするリレーとを備えていることを特徴としている。
【００１４】
上記の発明によれば、インプットコンデンサからの入力電圧が所定値以上になると、定電圧ダイオードに流れる電流をそれに対応させた電流とし、リレーをＯＮ状態またはＯＦＦ状態として主スイッチング素子をＯＦＦ状態にすることにより、スイッチングを停止させることができる。
【００１５】
本発明のスイッチング電源装置は、上記課題を解決するために、上記スイッチング停止手段は、上記入力電圧の大きさに対応した電圧が印加される定電圧ダイオードと、上記定電圧ダイオードを流れる電流の大きさに対応した電流によって生成されるゲート電圧が印加されてＯＮ／ＯＦＦ動作し、ＯＮ状態とＯＦＦ状態とのいずれか一方で上記主スイッチング素子をＯＦＦ状態とするサイリスタとを備えていることを特徴としている。
【００１６】
上記の発明によれば、インプットコンデンサからの入力電圧が所定値以上になると、定電圧ダイオードに流れる電流をそれに対応させた電流とし、サイリスタをＯＮ状態またはＯＦＦ状態として主スイッチング素子をＯＦＦ状態にすることにより、スイッチングを停止させることができる。
【００１７】
本発明のスイッチング電源装置は、上記課題を解決するために、上記スイッチング停止手段は、上記入力電圧の大きさに対応した電圧が制御端子に印加されるシャントレギュレータと、上記シャントレギュレータを流れる電流の大きさに対応した電流をベース電流としてＯＮ／ＯＦＦ動作し、ＯＮ状態とＯＦＦ状態とのいずれか一方で上記主スイッチング素子をＯＦＦ状態とするトランジスタとを備えていることを特徴としている。
【００１８】
上記の発明によれば、インプットコンデンサからの入力電圧が所定値以上になると、シャントレギュレータを流れる電流をそれに対応させた電流とし、トランジスタをＯＮ状態またはＯＦＦ状態として主スイッチング素子をＯＦＦ状態にすることにより、スイッチングを停止させることができる。
【００１９】
本発明のスイッチング電源装置は、上記課題を解決するために、上記スイッチング停止手段は、上記入力電圧の大きさに対応した電圧が制御端子に印加されるシャントレギュレータと、上記シャントレギュレータを流れる電流の大きさに対応した電流を励磁電流としてＯＮ／ＯＦＦ動作し、ＯＮ状態とＯＦＦ状態とのいずれか一方で上記主スイッチング素子をＯＦＦ状態とするリレーとを備えていることを特徴としている。
【００２０】
上記の発明によれば、インプットコンデンサからの入力電圧が所定値以上になると、シャントレギュレータを流れる電流をそれに対応させた電流とし、リレーをＯＮ状態またはＯＦＦ状態として主スイッチング素子をＯＦＦ状態にすることにより、スイッチングを停止させることができる。
【００２１】
本発明のスイッチング電源装置は、上記課題を解決するために、上記スイッチング停止手段は、上記入力電圧の大きさに対応した電圧が制御端子に印加されるシャントレギュレータと、上記シャントレギュレータを流れる電流の大きさに対応した電流によって生成されるゲート電圧が印加されてＯＮ／ＯＦＦ動作し、ＯＮ状態とＯＦＦ状態とのいずれか一方で上記主スイッチング素子をＯＦＦ状態とするサイリスタとを備えていることを特徴としている。
【００２２】
上記の発明によれば、インプットコンデンサからの入力電圧が所定値以上になると、シャントレギュレータを流れる電流をそれに対応させた電流とし、サイリスタをＯＮ状態またはＯＦＦ状態として主スイッチング素子をＯＦＦ状態にすることにより、スイッチングを停止させることができる。
【００２３】
本発明のスイッチング電源装置は、上記課題を解決するために、上記遮断手段は、上記主スイッチング素子以外に上記経路に直列に挿入されたスイッチを有し、上記スイッチを開状態とすることにより上記遮断を行うスイッチ手段であることを特徴としている。
【００２４】
上記の発明によれば、経路に直列に挿入されたスイッチを開状態とするスイッチ手段により、遮断手段を実現することができる。
【００２５】
本発明のスイッチング電源装置は、上記課題を解決するために、上記スイッチ手段は、上記入力電圧の大きさに対応した電圧が印加される定電圧ダイオードと、上記定電圧ダイオードに印加される電圧でＯＮ／ＯＦＦ動作が制御される、上記スイッチとしてのトランジスタとを備えていることを特徴としている。
【００２６】
上記の発明によれば、インプットコンデンサからの入力電圧が所定値以上になると、定電圧ダイオードに印加される電圧をそれに対応させてツェナー電圧とする、またはツェナー電圧よりも小さくすることにより、トランジスタをＯＦＦ状態にする、すなわちスイッチを開状態とすることができる。
【００２７】
本発明のスイッチング電源装置は、上記課題を解決するために、上記スイッチ手段は、上記入力電圧の大きさに対応した電圧が印加される定電圧ダイオードと、上記定電圧ダイオードに印加される電圧でＯＮ／ＯＦＦ動作が制御される、上記スイッチとしてのリレーとを備えていることを特徴としている。
【００２８】
上記の発明によれば、インプットコンデンサからの入力電圧が所定値以上になると、定電圧ダイオードに印加される電圧をそれに対応させてツェナー電圧とする、またはツェナー電圧よりも小さくすることにより、リレーをＯＦＦ状態にする、すなわちスイッチを開状態とすることができる。
【００２９】
本発明のスイッチング電源装置は、上記課題を解決するために、上記スイッチ手段は、上記入力電圧の大きさに対応した電圧が制御端子に印加されるシャントレギュレータと、上記シャントレギュレータのＯＮ／ＯＦＦ状態でＯＮ／ＯＦＦ動作が制御される、上記スイッチとしてのトランジスタとを備えていることを特徴としている。
【００３０】
上記の発明によれば、インプットコンデンサからの入力電圧が所定値以上になると、シャントレギュレータをそれに対応させてＯＮ状態またはＯＦＦ状態とすることにより、トランジスタをＯＦＦ状態にする、すなわちスイッチを開状態とすることができる。
【００３１】
本発明のスイッチング電源装置は、上記課題を解決するために、上記スイッチ手段は、上記入力電圧の大きさに対応した電圧が制御端子に印加されるシャントレギュレータと、上記シャントレギュレータのＯＮ／ＯＦＦ状態でＯＮ／ＯＦＦ動作が制御される、上記スイッチとしてのリレーとを備えていることを特徴としている。
【００３２】
上記の発明によれば、インプットコンデンサからの入力電圧が所定値以上になると、シャントレギュレータをそれに対応させてＯＮ状態またはＯＦＦ状態とすることにより、リレーをＯＦＦ状態にする、すなわちスイッチを開状態とすることができる。
【発明の効果】
【００３３】
本発明のスイッチング電源装置は、以上のように、上記入力電圧が所定値以上になると、遮断手段が、上記インプットコンデンサから上記主スイッチング素子を介して流れるパルス電流の経路の遮断を行う。
【００３４】
それゆえ、入力電源電圧が所定値以上に上昇した場合に安全性・信頼性を確保できるように保護することができるスイッチング電源装置を実現することができるという効果を奏する。
【発明を実施するための最良の形態】
【００３５】
〔実施の形態１〕
本発明の実施の一形態について、図１ないし図７に基づいて説明すれば以下のとおりである。
【００３６】
図１は本実施の形態に係るスイッチング電源装置２１の概略的構成を示すブロック図である。
【００３７】
スイッチング電源装置２１は、フィルタ回路２、ブリッジダイオードＢＤ、平滑コンデンサＣ１、スイッチング素子（主スイッチング素子）Ｑ１、パルストランスＴ、ダイオードＤ、平滑コンデンサ（インプットコンデンサ）Ｃ２、過電圧検出回路３、スイッチング停止回路４、ヒューズＦを備えている。
【００３８】
フィルタ回路２は商用の交流電源１から電源供給されるスイッチング電源装置２１に対し、交流電源１側への高調波流出を阻止するフィルタである。ヒューズＦはフィルタ回路２より前、すなわち交流電源１側の電源供給ライン上に挿入されている。ブリッジダイオードＢＤは、フィルタ回路２の後段で交流電源１から印加される交流電圧を全波整流する。ブリッジダイオードＢＤより後段はコンデンサインプット型のＤＣ−ＤＣコンバータとなっており、インプットコンデンサとなる平滑コンデンサＣ１は、ブリッジダイオードＢＤから出力される脈流を平滑化する。パルストランスＴの１次巻線ｗ１とスイッチング素子Ｑ１とは直列に接続されている。スイッチング素子Ｑ１にはｎチャネル型のパワーＭＯＳＦＥＴが使用されている。パルストランスＴの２次巻線ｗ２とダイオードＤとは、ダイオードＤのアノードを両者の接続点として直列に接続されている。また、平滑コンデンサＣ２は出力電源ライン間をまたぐように接続され、ダイオードＤのカソードが平滑コンデンサＣ２の正極性側端子と接続されている。
【００３９】
なお、図示しないが、平滑コンデンサＣ２の出力電圧、すなわちスイッチング電源装置２１の出力電圧を検出する出力電圧検出回路が備えられており、これにより検出された出力電圧が、図示しないスイッチング制御回路にフィードバックされる。スイッチング制御回路はパルストランスＴの補助巻線ｗ３から動作電源を供給される。
【００４０】
また、過電圧検出回路３は、平滑コンデンサＣ１からパルストランスＴの１次巻線ｗ１とスイッチング素子Ｑ１との直列回路への入力電圧、すなわち平滑コンデンサＣ１の端子間電圧を検出する。スイッチング停止回路４は、過電圧検出回路３の入力電圧検出結果に基づいて、スイッチング制御回路の発振動作を制御する、あるいはスイッチング素子Ｑ１のスイッチング動作を直接制御する。過電圧検出回路３が、平滑コンデンサＣ１からの入力電圧が所定値以上であることを検出すると、過電圧が入力されたとして、スイッチング制御回路の発振動作を停止させ、あるいはスイッチング素子Ｑ１のスイッチング動作を直接停止させ、スイッチング素子Ｑ１をＯＦＦ状態としてスイッチング動作を停止させる。このようにして、平滑コンデンサＣ１からの入力電圧が所定値以上になると、平滑コンデンサＣ１からスイッチング素子Ｑ２を介して流れるパルス電流の経路の遮断を行う。一方、平滑コンデンサＣ１からの入力電圧が上記所定値未満であることを検出すると、正常電圧が入力されているとして、スイッチング制御回路の発振動作を行わせる、あるいはスイッチング素子Ｑ１にスイッチング動作を行わせる。過電圧検出回路３とスイッチング停止回路４とで遮断手段およびスイッチング停止手段としての過電圧保護回路が構成されている。
【００４１】
上記の構成のスイッチング電源装置２１の動作を説明する。交流電源１からフィルタ回路２を経た電圧はブリッジダイオードＢＤで全波整流される。この整流電圧は平滑コンデンサＣ１で平滑化される。そして、スイッチング素子Ｑ１によるスイッチング動作により、パルストランスＴ１の１次巻線ｗ１にパルス電流が流れ、１次巻線ｗ１から２次巻線ｗ２へエネルギーが伝達され、ダイオードＤと平滑コンデンサＣ２とにより直流電圧となって出力される。この出力電圧が出力電圧検出回路によって検出され、スイッチング制御回路にフィードバックされる。これにより、スイッチング素子Ｑ１のＯＮデューティが制御されて、出力電圧が安定化される。
【００４２】
上記のスイッチング電源装置２１では、入力電源電圧が上昇しても電源装置の出力電圧が一定に持続されるためにパルストランスＴの２次側である被電源供給側では入力電源電圧の異常を検出できないことに着目し、平滑コンデンサＣ１からの入力電圧を検出するようにしている。そして、スイッチング電源装置２１の入力電源電圧が上昇した場合に、スイッチング素子Ｑ１をＯＦＦ状態としてスイッチング動作を停止させることにより、平滑コンデンサＣ１より後段側の電源回路を保護する。このとき、平滑コンデンサＣ１から交流電源１側の回路の部品には過電圧が印加されるが、交流電源１の電圧が１００Ｖであるとして、２４０Ｖが印加されても耐え得る高耐圧部品を採用することにより保護している。このように、平滑コンデンサＣ１から前段側の回路については、部品の耐圧を適宜設定するだけでよいので過電圧からの保護に特別な構成は不要である。また、発振が停止することにより負荷への電源供給が停止されるので、これにより負荷側に、異常の発生したことが伝わる。
【００４３】
なお、本実施の形態は、パルストランスを用いない降圧チョッパ型のスイッチング電源装置にも適用することができる。
【００４４】
次に、図２に、上記図１の過電圧検出回路３およびスイッチング停止回路４を第１の具体的構成で実現したスイッチング電源装置２１ａの構成を示す。
【００４５】
スイッチング電源装置２１ａにおいて、過電圧検出回路３およびスイッチング停止回路４は併せて過電圧保護回路６として示されており、定電圧ダイオードＺＤ１、抵抗Ｒ１、トランジスタＱ２を備えることで実現されている。このうち、定電圧ダイオードＺＤ１、抵抗Ｒ１、およびトランジスタＱ２が過電圧検出回路３として機能しており、トランジスタＱ２がスイッチング停止回路４として機能している。
【００４６】
トランジスタＱ２はＮＰＮ型のバイポーラトランジスタであり、コレクタがスイッチング素子Ｑ１のゲートに接続されており、エミッタがスイッチング素子Ｑ１のソースに接続されている。定電圧ダイオードＺＤ１と抵抗Ｒ１とは直列に接続されている。定電圧ダイオードＺＤ１のカソードはパルストランスＴの１次巻線の正極性側端子に接続されており、アノードは抵抗Ｒ１の一端に接続されている。抵抗Ｒ１の他端はトランジスタＱ２のベースに接続されている。
【００４７】
この構成において、交流電源１からの入力電源電圧が上昇すると平滑コンデンサＣ１の端子間電圧が上昇する。定電圧ダイオードＺＤ１には平滑コンデンサＣ１の端子間電圧の大きさに対応した電圧が印加されているので、平滑コンデンサＣ１の端子間電圧が所定値以上になると定電圧ダイオードＺＤ１にはツェナー電圧が印加されるようになっており、定電圧ダイオードＺＤ１はＯＮ状態になる。これにより抵抗Ｒ１を介してトランジスタＱ２のベース電流が流れてトランジスタＱ２がＯＮ状態となる。従って、スイッチング素子Ｑ１のゲート・ソース間が短絡されてスイッチング素子Ｑ１はＯＦＦ状態でスイッチングを停止する。このように、過電圧保護回路６は全体的にスイッチ回路として機能している。
【００４８】
なお、トランジスタＱ２は定電圧ダイオードＺＤ１を流れる電流そのものをベース電流としてＯＮ／ＯＦＦ動作しているが、これに限らず、定電圧ダイオードＺＤ１を流れる電流の大きさに対応した電流をベース電流としてＯＮ／ＯＦＦ動作するものであればよい。また、トランジスタＱ２はＯＮ状態でスイッチング素子Ｑ２をＯＦＦ状態とするが、ＯＦＦ状態で主スイッチング素子をＯＦＦ状態とするトランジスタを用いることも可能である。
【００４９】
次に、図３に、前記図１の過電圧検出回路３およびスイッチング停止回路４を第２の具体的構成で実現したスイッチング電源装置２１ｂの構成を示す。図２と同一機能の部材には同一の符号を付してある。
【００５０】
スイッチング電源装置２１ｂにおいて、過電圧検出回路３およびスイッチング停止回路４は併せて過電圧保護回路７として示されており、定電圧ダイオードＺＤ１、抵抗Ｒ１、リレーＲＹ１を備えることで実現されている。このうち、定電圧ダイオードＺＤ１、抵抗Ｒ１、およびリレーＲＹ１が過電圧検出回路３として機能しており、リレーＲＹ１がスイッチング停止回路４として機能している。
【００５１】
リレーＲＹ１はノーマリオフのリレーである。励磁コイルの一端は抵抗Ｒ１の前記他端に接続され、他端はスイッチング素子Ｑ１のソースに接続されている。また、リレーＲＹ１の接点はスイッチング素子Ｑ１のゲート・ソース間に設けられている。
【００５２】
この構成において、交流電源１からの入力電源電圧が上昇すると平滑コンデンサＣ１の端子間電圧が上昇し、所定値以上になると定電圧ダイオードＺＤ１がＯＮ状態になる。これにより抵抗Ｒ１を介してリレーＲＹ１の励磁コイルに電流が流れてリレーＲＹ１の接点が閉じ、リレーＲＹ１はＯＮ状態となる。従って、スイッチング素子Ｑ１のゲート・ソース間が短絡されてスイッチング素子Ｑ１はＯＦＦ状態でスイッチングを停止する。このように、過電圧保護回路７は全体的にスイッチ回路として機能している。
【００５３】
なお、リレーＲＹ１は定電圧ダイオードＺＤ１を流れる電流そのものを励磁電流としてＯＮ／ＯＦＦ動作しているが、これに限らず、定電圧ダイオードＺＤ１を流れる電流の大きさに対応した電流を励磁電流としてＯＮ／ＯＦＦ動作するものであればよい。また、リレーＲＹ１はＯＮ状態でスイッチング素子Ｑ２をＯＦＦ状態とするが、ＯＦＦ状態で主スイッチング素子をＯＦＦ状態とするリレーを用いることも可能である。
【００５４】
次に、図４に、前記図１の過電圧検出回路３およびスイッチング停止回路４を第２の具体的構成で実現したスイッチング電源装置２１ｃの構成を示す。図２および図３と同一機能の部材には同一の符号を付してある。
【００５５】
スイッチング電源装置２１ｃにおいて、過電圧検出回路３およびスイッチング停止回路４は併せて過電圧保護回路８として示されており、定電圧ダイオードＺＤ１、抵抗Ｒ１・Ｒ２、サイリスタＳＣＲを備えることで実現されている。このうち、定電圧ダイオードＺＤ１、抵抗Ｒ１、および抵抗Ｒ２が過電圧検出回路３として機能しており、サイリスタＳＣＲがスイッチング停止回路４として機能している。
【００５６】
抵抗Ｒ２は、一端が抵抗Ｒ１の前記他端に接続され、他端がスイッチング素子Ｑ１のソースに接続されている。サイリスイタＳＣＲは、アノードがスイッチング素子Ｑ１のゲートに接続されており、カソードがスイッチング素子Ｑ１のソースに接続されている。ゲートは抵抗Ｒ１と抵抗Ｒ２との接続点に接続されている。
【００５７】
この構成において、交流電源１からの入力電源電圧が上昇すると平滑コンデンサＣ１の端子間電圧が上昇し、所定値以上になると定電圧ダイオードＺＤ１がＯＮ状態になる。これにより定電圧ダイオードＺＤ１を流れる電流が抵抗Ｒ２を流れることによって生成される電圧が、サイリスタＳＣＲのゲートに印加され、サイリスタＳＣＲがＯＮ状態となる。従って、スイッチング素子Ｑ１のゲート・ソース間が短絡されてスイッチング素子Ｑ１はＯＦＦ状態でスイッチングを停止する。このように、過電圧保護回路８は全体的にスイッチ回路として機能している。
【００５８】
なお、サイリスタＳＣＲは定電圧ダイオードＺＤ１を流れる電流そのものによって生成される電圧をゲート電圧としてＯＮ／ＯＦＦ動作しているが、これに限らず、定電圧ダイオードＺＤ１を流れる電流の大きさに対応した電流によって生成されるゲート電圧が印加されてＯＮ／ＯＦＦ動作するものであればよい。また、サイリスタＳＣＲはＯＮ状態でスイッチング素子Ｑ２をＯＦＦ状態とするが、ＯＦＦ状態で主スイッチング素子をＯＦＦ状態とするサイリスタＳＣＲを用いることも可能である。
【００５９】
次に、図５に、前記図１の過電圧検出回路３およびスイッチング停止回路４を第４の具体的構成で実現したスイッチング電源装置２１ｄの構成を示す。図２ないし図４と同一機能の部材には同一の符号を付してある。
【００６０】
スイッチング電源装置２１ｄにおいて、過電圧検出回路３およびスイッチング停止回路４は併せて過電圧保護回路９として示されており、シャントレギュレータＩＣ１、抵抗Ｒ１、抵抗Ｒ３・Ｒ４、トランジスタＱ２を備えることで実現されている。このうち、シャントレギュレータＩＣ１、抵抗Ｒ１、および抵抗Ｒ３・Ｒ４が過電圧検出回路３として機能しており、トランジスタＱ２がスイッチング停止回路４として機能している。
【００６１】
スイッチング電源装置２１ｄは、図２のスイッチング電源装置２１ａの定電圧ダイオードＺＤ１をシャントレギュレータＩＣ１で置き換え、抵抗Ｒ３・Ｒ４を追加したものである。抵抗Ｒ３と抵抗Ｒ４とは、パルストランスの１次巻線ｗ１の正極性側端子とスイッチング素子Ｑ１のソースとの間に、抵抗Ｒ３が上記正極性側端子側となるように直列に接続されている。シャントレギュレータＩＣ１のカソードはパルストランスの１次巻線ｗ１の正極性側端子に接続されており、アノードは抵抗Ｒ１の前記一端に接続されている。シャントレギュレータＩＣ１の制御端子は抵抗Ｒ３と抵抗Ｒ４との接続点に接続されている。
【００６２】
この構成において、交流電源１からの入力電源電圧が上昇すると平滑コンデンサＣ１の端子間電圧が上昇し、抵抗Ｒ３と抵抗Ｒ４とで生成される分圧が上昇する。シャントレギュレータＩＣ１の制御端子には平滑コンデンサＣ１の端子間電圧の大きさに対応した上記分圧が印加されているので、平滑コンデンサＣ１の端子間電圧が所定値以上になると、シャントレギュレータＩＣ１に制御端子から印加される電圧が内部発生電圧を上回り、シャントレギュレータＩＣ１はＯＮ状態となって電流を流す。これにより抵抗Ｒ１を介してトランジスタＱ２のベース電流が流れてトランジスタＱ２がＯＮ状態となる。従って、スイッチング素子Ｑ１のゲート・ソース間が短絡されてスイッチング素子Ｑ１はＯＦＦ状態でスイッチングを停止する。このように、過電圧保護回路９は全体的にスイッチ回路として機能している。
【００６３】
なお、トランジスタＱ２はシャントレギュレータＩＣ１を流れる電流そのものをベース電流としてＯＮ／ＯＦＦ動作しているが、これに限らず、シャントレギュレータＩＣ１を流れる電流の大きさに対応した電流をベース電流としてＯＮ／ＯＦＦ動作するものであればよい。また、トランジスタＱ２はＯＮ状態でスイッチング素子Ｑ２をＯＦＦ状態とするが、ＯＦＦ状態で主スイッチング素子をＯＦＦ状態とするトランジスタを用いることも可能である。
【００６４】
次に、図６に、前記図１の過電圧検出回路３およびスイッチング停止回路４を第５の具体的構成で実現したスイッチング電源装置２１ｅの構成を示す。図２ないし図５と同一機能の部材には同一の符号を付してある。
【００６５】
スイッチング電源装置２１ｅにおいて、過電圧検出回路３およびスイッチング停止回路４は併せて過電圧保護回路１０として示されており、シャントレギュレータＩＣ１、抵抗Ｒ１、抵抗Ｒ３・Ｒ４、リレーＲＹ１を備えることで実現されている。このうち、シャントレギュレータＩＣ１、抵抗Ｒ１、および抵抗Ｒ３・Ｒ４が過電圧検出回路３として機能しており、リレーＲＹ１がスイッチング停止回路４として機能している。
【００６６】
スイッチング電源装置２１ｅは、図３のスイッチング電源装置２１ｂにおいて、定電圧ダイオードＺＤ１を図５のようにシャントレギュレータＩＣ１で置き換えて抵抗Ｒ３・Ｒ４を追加した接続状態となっている。
【００６７】
この構成において、交流電源１からの入力電源電圧が上昇すると平滑コンデンサＣ１の端子間電圧が上昇し、抵抗Ｒ３と抵抗Ｒ４とで生成される分圧が上昇する。平滑コンデンサＣ１の端子間電圧が所定値以上になると、シャントレギュレータＩＣ１はＯＮ状態となって電流を流す。これにより抵抗Ｒ１を介してリレーＲＹ１の励磁コイルに電流が流れてリレーＲＹ１の接点が閉じ、リレーＲＹ１はＯＮ状態となる。従って、スイッチング素子Ｑ１のゲート・ソース間が短絡されてスイッチング素子Ｑ１はＯＦＦ状態でスイッチングを停止する。このように、過電圧保護回路１０は全体的にスイッチ回路として機能している。
【００６８】
なお、リレーＲＹ１はシャントレギュレータＩＣ１を流れる電流そのものを励磁電流としてＯＮ／ＯＦＦ動作しているが、これに限らず、シャントレギュレータＩＣ１を流れる電流の大きさに対応した電流を励磁電流としてＯＮ／ＯＦＦ動作するものであればよい。また、リレーＲＹ１はＯＮ状態でスイッチング素子Ｑ２をＯＦＦ状態とするが、ＯＦＦ状態で主スイッチング素子をＯＦＦ状態とするリレーを用いることも可能である。
【００６９】
次に、図７に、前記図１の過電圧検出回路３およびスイッチング停止回路４を第６の具体的構成で実現したスイッチング電源装置２１ｆの構成を示す。図２ないし図６と同一機能の部材には同一の符号を付してある。
【００７０】
スイッチング電源装置２１ｆにおいて、過電圧検出回路３およびスイッチング停止回路４は併せて過電圧保護回路１１として示されており、シャントレギュレータＩＣ１、抵抗Ｒ１・Ｒ２、抵抗Ｒ３・Ｒ４、サイリスタＳＣＲを備えることで実現されている。このうち、シャントレギュレータＩＣ１、抵抗Ｒ１・Ｒ２、および抵抗Ｒ３・Ｒ４が過電圧検出回路３として機能しており、サイリスタＳＣＲがスイッチング停止回路４として機能している。
【００７１】
スイッチング電源装置２１ｆは、図４のスイッチング電源装置２１ｃにおいて、定電圧ダイオードＺＤ１を図５のようにシャントレギュレータＩＣ１で置き換えて抵抗Ｒ３・Ｒ４を追加した接続状態となっている。
【００７２】
この構成において、交流電源１からの入力電源電圧が上昇すると平滑コンデンサＣ１の端子間電圧が上昇し、抵抗Ｒ３と抵抗Ｒ４とで生成される分圧が上昇する。平滑コンデンサＣ１の端子間電圧が所定値以上になると、シャントレギュレータＩＣ１はＯＮ状態となって電流を流す。これによりシャントレギュレータＩＣ１を流れる電流が抵抗Ｒ２を流れることによって生成される電圧が、サイリスタＳＣＲのゲートに印加され、サイリスタＳＣＲがＯＮ状態となる。従って、スイッチング素子Ｑ１のゲート・ソース間が短絡されてスイッチング素子Ｑ１はＯＦＦ状態でスイッチングを停止する。このように、過電圧保護回路１１は全体的にスイッチ回路として機能している。
【００７３】
なお、サイリスタＳＣＲはシャントレギュレータＩＣ１を流れる電流そのものによって生成される電圧をゲート電圧としてＯＮ／ＯＦＦ動作しているが、これに限らず、シャントレギュレータＩＣ１を流れる電流の大きさに対応した電流によって生成されるゲート電圧が印加されてＯＮ／ＯＦＦ動作するものであればよい。また、サイリスタＳＣＲはＯＮ状態でスイッチング素子Ｑ２をＯＦＦ状態とするが、ＯＦＦ状態で主スイッチング素子をＯＦＦ状態とするサイリスタＳＣＲを用いることも可能である。
〔実施の形態２〕
本発明の他の実施の形態について、図８ないし図１２に基づいて説明すれば以下のとおりである。なお、前記実施の形態１と同一の機能を有する構成要素については同一の符号を付し、その説明を省略する。
【００７４】
図８は本実施の形態に係るスイッチング電源装置３１の概略的構成を示すブロック図である。
【００７５】
スイッチング電源装置３１は、フィルタ回路２、ブリッジダイオードＢＤ、平滑コンデンサＣ１、スイッチング素子（主スイッチング素子）Ｑ１、パルストランスＴ、ダイオードＤ、平滑コンデンサ（インプットコンデンサ）Ｃ２、過電圧検出回路３５、電源切断回路３６、ヒューズＦを備えている。
【００７６】
フィルタ回路２、ブリッジダイオードＢＤ、平滑コンデンサＣ１、スイッチング素子Ｑ１、パルストランスＴ、ダイオードＤ、平滑コンデンサＣ２、ヒューズＦ、図示しない出力電圧検出回路、図示しないスイッチング制御回路については実施の形態１で説明した通りである。
【００７７】
また、過電圧検出回路３５は、平滑コンデンサＣ１から、後述する電源切断回路３６のスイッチとパルストランスＴの１次巻線ｗ１とスイッチング素子Ｑ１との直列回路への入力電圧、すなわち平滑コンデンサＣ１の端子間電圧を検出する。電源切断回路３６は、平滑コンデンサＣ１の正極性端子とパルストランスＴの１次巻線ｗ１の正極性側端子との間にスイッチを有する回路である。このスイッチは、スイッチング素子Ｑ１以外に、パルストランスＴの１次巻線ｗ１とスイッチング素子Ｑ１との直列回路に直列に挿入されたスイッチである。電源切断回路３６は、過電圧検出回路３５の入力電圧検出結果に基づいて、上記スイッチのＯＮ／ＯＦＦ動作（開閉動作）を制御する。過電圧検出回路３５が、平滑コンデンサＣ１からの入力電圧が所定値以上であることを検出すると、過電圧が入力されたとして、スイッチをＯＦＦ状態（開状態）とする。スイッチがＯＦＦ状態になることにより、平滑コンデンサＣ１の正極性端子とパルストランスＴの１次巻線ｗ１とが切り離される。このようにして、平滑コンデンサＣ１からの入力電圧が所定値以上になると、平滑コンデンサＣ１からスイッチング素子Ｑ２を介して流れるパルス電流の経路の遮断を行う。一方、平滑コンデンサＣ１からの入力電圧が上記所定値未満であることを検出すると、正常電圧が入力されているとして、スイッチをＯＮ状態（閉状態）とする。過電圧検出回路３５と電源切断回路３６とで遮断手段およびスイッチ手段としての過電圧保護回路が構成されている。
【００７８】
上記の構成のスイッチング電源装置３１の動作を説明する。交流電源１からフィルタ回路２を経た電圧はブリッジダイオードＢＤで全波整流される。この整流電圧は平滑コンデンサＣ１で平滑化される。そして、スイッチング素子Ｑ１によるスイッチング動作により、パルストランスＴ１の１次巻線ｗ１にパルス電流が流れ、１次巻線ｗ１から２次巻線ｗ２へエネルギーが伝達され、ダイオードＤと平滑コンデンサＣ２とにより直流電圧となって出力される。この出力電圧が出力電圧検出回路によって検出され、スイッチング制御回路にフィードバックされる。これにより、スイッチング素子Ｑ１のＯＮデューティが制御されて、出力電圧が安定化される。
【００７９】
上記のスイッチング電源装置３１では、入力電源電圧が上昇しても電源装置の出力電圧が一定に持続されるためにパルストランスＴの２次側である被電源供給側では入力電源電圧の異常を検出できないことに着目し、平滑コンデンサＣ１からの入力電圧を検出するようにしている。そして、スイッチング電源装置３１の入力電源電圧が上昇した場合に、電源切断回路３６のスイッチをＯＦＦ状態として、平滑コンデンサＣ１より後段側の電源回路を保護する。このとき、平滑コンデンサＣ１から交流電源１側の回路の部品には過電圧が印加されるが、交流電源１の電圧が１００Ｖであるとして、２４０Ｖが印加されても耐え得る高耐圧部品を採用することにより保護している。このように、平滑コンデンサＣ１から前段側の回路については、部品の耐圧を適宜設定するだけでよいので過電圧からの保護に特別な構成は不要である。また、発振が停止することにより負荷への電源供給が停止されるので、これにより負荷側に、異常の発生したことが伝わる。
【００８０】
なお、本実施の形態は、パルストランスを用いない降圧チョッパ型のスイッチング電源装置にも適用することができる。
【００８１】
次に、図９に、上記図８の過電圧検出回路３５および電源切断回路３６を第１の具体的構成で実現したスイッチング電源装置３１ａの構成を示す。
【００８２】
スイッチング電源装置３１ａにおいて、過電圧検出回路３５および電源切断回路３６は併せて過電圧保護回路１２として示されており、定電圧ダイオードＺＤ２、抵抗Ｒ１１、抵抗Ｒ１２、トランジスタＱ１２を備えることで実現されている。トランジスタＱ１２が電源切断回路３６のスイッチである。
【００８３】
トランジスタＱ１２はＮＰＮ型のバイポーラトランジスタであり、コレクタが平滑コンデンサＣ１の正極性端子に接続されており、エミッタがパルストランスＴの１次巻線ｗ１の正極性側端子に接続されている。抵抗Ｒ１２はトランジスタＱ１２のコレクタとベースとの間に接続されている。定電圧ダイオードＺＤ２は抵抗Ｒ１２と並列に接続され、カソードがトランジスタＱ１２のコレクタに、アノードがトランジスタＱ１２のベースにそれぞれ接続されている。抵抗Ｒ１１は、トランジスタＱ１２のベースとスイッチング素子Ｑ１のソースとの間に接続されている。
【００８４】
この構成において、交流電源１からの入力電源電圧が正常値であるときには、定電圧ダイオードＺＤ２はＯＦＦ状態であり、抵抗Ｒ１２での電圧降下が小さいのでトランジスタＱ１２がＯＮ状態であり、スイッチング電源装置３１ａは通常の電源動作を行う。一方、交流電源１からの入力電源電圧が上昇すると平滑コンデンサＣ１の端子間電圧が上昇する。定電圧ダイオードＺＤ２には平滑コンデンサＣ１の端子間電圧の大きさに対応した電圧が印加されているので、平滑コンデンサＣ１の端子間電圧が所定値以上になると定電圧ダイオードＺＤ２にはツェナー電圧が印加されるようになっており、定電圧ダイオードＺＤ２がＯＮ状態になる。これによりトランジスタＱ１２はＯＦＦ状態となり、スイッチング電源装置３１ａの主電源とパルストランスＴの１次巻線ｗ１の正極性側端子とが切り離される。すなわち、トランジスタＱ１２は、定電圧ダイオードＺＤ２に印加される電圧でＯＮ／ＯＦＦ動作が制御される。従って、定電圧ダイオードに印加される電圧がツェナー電圧より小さいときにトランジスタをＯＦＦ状態とするようにしてもよい。このように、過電圧保護回路１２は全体的にスイッチ回路として機能している。
【００８５】
次に、図１０に、上記図８の過電圧検出回路３５および電源切断回路３６を第２の具体的構成で実現したスイッチング電源装置３１ｂの構成を示す。図９と同一機能の部材には同一の符号を付してある。
【００８６】
スイッチング電源装置３１ｂにおいて、過電圧検出回路３５および電源切断回路３６は併せて過電圧保護回路１３として示されており、定電圧ダイオードＺＤ２、抵抗Ｒ１１、リレーＲＹ２を備えることで実現されている。リレーＲＹ２が電源切断回路３６のスイッチである。
【００８７】
スイッチング電源装置３１ｂは図９のスイッチング電源装置３１ａにおいて、トランジスタＱ１２および抵抗Ｒ１２をリレーＲＹ２で置き換えたものである。リレーＲＹ２の接点は平滑コンデンサＣ１の正極性端子とパルストランスＴの１次巻線Ｗ１の正極性側端子との間に接続されている。また、励磁コイルは定電圧ダイオードＺＤ２と並列に接続されており、一端がリレーＲＹ２の接点の平滑コンデンサＣ１側端子に接続され、他端が抵抗Ｒ１１の前記一端に接続されている。
【００８８】
この構成において、交流電源１からの入力電源電圧が正常値であるときには、定電圧ダイオードＺＤ２はＯＦＦ状態であって、リレーＲＹ２がＯＮ状態であり、スイッチング電源装置３１ａは通常の電源動作を行う。一方、交流電源１からの入力電源電圧が上昇すると平滑コンデンサＣ１の端子間電圧が上昇する。定電圧ダイオードＺＤ２には平滑コンデンサＣ１の端子間電圧の大きさに対応した電圧が印加されているので、平滑コンデンサＣ１の端子間電圧が所定値以上になると定電圧ダイオードＺＤ２がＯＮ状態になる。これによりリレーＲＹ２のコイル端子に電圧が印加されてリレーＲＹ２はＯＦＦ状態となり、スイッチング電源装置３１ｂの主電源とパルストランスＴの１次巻線ｗ１の正極性側端子とが切り離される。すなわち、リレーＲＹ２は、定電圧ダイオードＺＤ２に印加される電圧でＯＮ／ＯＦＦ動作が制御される。このように、過電圧保護回路１３は全体的にスイッチ回路として機能している。従って、定電圧ダイオードに印加される電圧がツェナー電圧より小さいときにリレーをＯＦＦ状態とするようにしてもよい。
【００８９】
次に、図１１に、上記図８の過電圧検出回路３５および電源切断回路３６を第３の具体的構成で実現したスイッチング電源装置３１ｃの構成を示す。図９および図１０と同一機能の部材には同一の符号を付してある。
【００９０】
スイッチング電源装置３１ｃにおいて、過電圧検出回路３５および電源切断回路３６は併せて過電圧保護回路１４として示されており、シャントレギュレータＩＣ２、抵抗Ｒ１１、抵抗Ｒ１３・Ｒ１４、トランジスタＱ１２、抵抗Ｒ１２を備えることで実現されている。トランジスタＱ１２が電源切断回路３６のスイッチである。
【００９１】
スイッチング電源装置３１ｃは、図９のスイッチング電源装置３１ａにおいて、定電圧ダイオードＺＤ２をシャントレギュレータＩＣ２で置き換え、抵抗Ｒ１３・Ｒ１４を追加したものである。抵抗Ｒ１３と抵抗Ｒ１４とは、トランジスタＱ１２のコレクタとスイッチング素子Ｑ１のソースとの間に、抵抗Ｒ１３が上記コレクタ側となるように直列に接続されている。シャントレギュレータＩＣ２のカソードは上記コレクタに接続されており、アノードはトランジスタＱ１２のベースに接続されている。シャントレギュレータＩＣ２の制御端子は抵抗Ｒ１３と抵抗Ｒ１４との接続点に接続されている。
【００９２】
この構成において、シャントレギュレータＩＣ２の制御端子には、抵抗Ｒ１３と抵抗Ｒ１４とにより生成される分圧が印加されている。従って、シャントレギュレータＩＣ２の制御端子には平滑コンデンサＣ１の端子間電圧の大きさに対応した電圧が印加されている。交流電源１からの入力電源電圧が正常値であるときには、上記分圧が小さいために、シャントレギュレータＩＣ２はＯＦＦ状態であって、トランジスタＱ１２がＯＮ状態であり、スイッチング電源装置３１ｃは通常の電源動作を行う。一方、交流電源１からの入力電源電圧が上昇すると平滑コンデンサＣ１の端子間電圧が上昇する。従って、平滑コンデンサＣ１の端子間電圧が所定値以上になると、抵抗Ｒ１３と抵抗Ｒ１４とにより生成される分圧が大きくなり、シャントレギュレータＩＣ２がＯＮ状態となって電流を流す。これによりトランジスタＱ１２はＯＦＦ状態となり、スイッチング電源装置３１ｃの主電源とパルストランスＴの１次巻線ｗ１の正極性側端子とが切り離される。すなわち、トランジスタＱ１２は、シャントレギュレータＩＣ２のＯＮ／ＯＦＦ状態でＯＮ／ＯＦＦ動作が制御される。このように、過電圧保護回路１４は全体的にスイッチ回路として機能している。従って、シャントレギュレータのＯＦＦ状態でトランジスタをＯＦＦ状態とするようにしてもよい。
【００９３】
次に、図１２に、上記図８の過電圧検出回路３５および電源切断回路３６を第４の具体的構成で実現したスイッチング電源装置３１ｄの構成を示す。図９ないし図１１と同一機能の部材には同一の符号を付してある。
【００９４】
スイッチング電源装置３１ｄにおいて、過電圧検出回路３５および電源切断回路３６は併せて過電圧保護回路１５として示されており、シャントレギュレータＩＣ２、抵抗Ｒ１１、抵抗Ｒ１３・Ｒ１４、リレーＲＹ２を備えることで実現されている。リレーＲＹ２が電源切断回路３６のスイッチである。
【００９５】
スイッチング電源装置３１ｄは、図９のスイッチング電源装置３１ｂにおいて、図１１のように、定電圧ダイオードＺＤ２をシャントレギュレータＩＣ２で置き換えて抵抗Ｒ１３・Ｒ１４を追加したものである。
【００９６】
この構成において、交流電源１からの入力電源電圧が正常値であるときには、シャントレギュレータＩＣ２はＯＦＦ状態であって、リレーＲＹ２がＯＮ状態であり、スイッチング電源装置３１ｄは通常の電源動作を行う。一方、交流電源１からの入力電源電圧が上昇すると平滑コンデンサＣ１の端子間電圧が上昇する。シャントレギュレータＩＣ２の制御端子には平滑コンデンサＣ１の端子間電圧の大きさに対応した電圧が印加されているので、平滑コンデンサＣ１の端子間電圧が所定値以上になるとシャントレギュレータＩＣ２がＯＮ状態となって電流を流す。これによりリレーＲＹ２のコイル端子に電圧が印加されてリレーＲＹ２はＯＦＦ状態となり、スイッチング電源装置３１ｄの主電源とパルストランスＴの１次巻線ｗ１の正極性側端子とが切り離される。すなわち、リレーＲＹ２は、シャントレギュレータＩＣ２のＯＮ／ＯＦＦ状態でＯＮ／ＯＦＦ動作が制御される。このように、過電圧保護回路１５は全体的にスイッチ回路として機能している。従って、シャントレギュレータのＯＦＦ状態でトランジスタをＯＦＦ状態とするようにしてもよい。
【００９７】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【００９８】
本発明は、ＡＣ−ＤＣコンバータやＤＣ―ＤＣコンバータとして用いられるスイッチング電源装置に適用することができる。
【図面の簡単な説明】
【００９９】
【図１】本発明の実施の一形態を示すものであり、スイッチング電源装置の構成を示す回路ブロック図である。
【図２】図１のスイッチング装置に備えられる過電圧保護回路を第１の具体的構成例で示した回路ブロック図である。
【図３】図１のスイッチング装置に備えられる過電圧保護回路を第２の具体的構成例で示した回路ブロック図である。
【図４】図１のスイッチング装置に備えられる過電圧保護回路を第３の具体的構成例で示した回路ブロック図である。
【図５】図１のスイッチング装置に備えられる過電圧保護回路を第４の具体的構成例で示した回路ブロック図である。
【図６】図１のスイッチング装置に備えられる過電圧保護回路を第５の具体的構成例で示した回路ブロック図である。
【図７】図１のスイッチング装置に備えられる過電圧保護回路を第６の具体的構成例で示した回路ブロック図である。
【図８】本発明の他の実施の形態を示すものであり、スイッチング電源装置の構成を示す回路ブロック図である。
【図９】図８のスイッチング装置に備えられる過電圧保護回路を第１の具体的構成例で示した回路ブロック図である。
【図１０】図８のスイッチング装置に備えられる過電圧保護回路を第２の具体的構成例で示した回路ブロック図である。
【図１１】図８のスイッチング装置に備えられる過電圧保護回路を第３の具体的構成例で示した回路ブロック図である。
【図１２】図８のスイッチング装置に備えられる過電圧保護回路を第４の具体的構成例で示した回路ブロック図である。
【図１３】従来技術を示すものであり、スイッチング電源装置の構成を示す回路ブロック図である。
【符号の説明】
【０１００】
３                過電圧検出回路
４                スイッチング停止回路
６〜１１          過電圧保護回路（遮断手段、スイッチング停止手段）
１２〜１５        過電圧保護回路（遮断手段、スイッチ手段）
２１              スイッチング電源装置
２１ａ〜２１ｆ    スイッチング電源装置
３１              スイッチング電源装置
３１ａ〜３１ｄ    スイッチング電源装置
３５              過電圧検出回路
３６              電源切断回路
Ｃ１              平滑コンデンサ（インプットコンデンサ）
ＩＣ１            シャントレギュレータ
ＩＣ２            シャントレギュレータ
ＲＹ１            リレー
ＲＹ２            リレー（スイッチ）
Ｑ１              スイッチング素子（主スイッチング素子）
Ｑ２              トランジスタ
Ｑ１２            トランジスタ（スイッチ）
ＳＣＲ            サイリスタ
ＺＤ１            定電圧ダイオード
ＺＤ２            定電圧ダイオード
【図１】
2005210849.tif 000003
【図２】
2005210849.tif 000004
【図３】
2005210849.tif 000005
【図４】
2005210849.tif 000006
【図５】
2005210849.tif 000007
【図６】
2005210849.tif 000008
【図７】
2005210849.tif 000009
【図８】
2005210849.tif 000010
【図９】
2005210849.tif 000011
【図１０】
2005210849.tif 000012
【図１１】
2005210849.tif 000013
【図１２】
2005210849.tif 000014
【図１３】
2005210849.tif 000015